(57)【要約】      （修正有）【課題】キャップの機構がヒンジ又はヒンジ様であり、容器と一体成型可能な安価な樹脂容器を提供する。【解決手段】ヒンジ4又はヒンジ様のキャップ2、3を１箇所以上有したキャップ部と容器本体1を一体成型にて成型する金型を用いて成型することにより、1パーツにて容器提供を可能とし、金型及び容器単価が極めて低価格にて提供する。【選択図】図１
2006199316.tif 000002
【特許請求の範囲】
【請求項１】
ヒンジタイプのキャップを１箇所以上備えた樹脂成型容器において、キャップ及び容器本体を一体成型にて成型することを特徴とする樹脂成型容器。
【請求項２】
1ハ゜ーツにて成型可能な金型を用いたことを特徴とした請求項１記載の樹脂成型容器。
【発明の詳細な説明】
【技術分野】
【０００１】
本発明は、樹脂成型容器に関し、詳しくは、主にお菓子等に用いるキャップと容器本体からなる1パーツにて成型可能な樹脂成型容器に関する。
【背景技術】
【０００２】
従来から、お菓子等の容器には樹脂容器が広く用いられている。その理由として、耐久性及びデザイン性に優れていることが挙げられる。近年、市場のニーズの要望に伴い、充填物の多様化に対応するように内キャップと外キャップの２箇所のキャップを備えた容器に見られるように、容器の形状や組立て方法も複雑化の傾向がみられ、それに伴い容器を構成するパーツの数も増加するために金型費用の上昇、及び容器を組立てるコストの上昇が問題となっている。
【０００３】
そして、容器のパーツ数を減少させるべくキャップと容器本体との一体成型が試みられているが、現状では特開２００１−２７８２９３にて開示されているようにキャップと容器本体を個々に成型した後キャップ部の容器嵌入部にチューブ先端を嵌入したブローチューブ容器に留まり、コスト増の原因となっているパーツ数自体の減少は見られていない。
【０００４】
更に、ヒンジタイプのキャップを備えた樹脂容器において、キャップと容器が一体にて成型されている樹脂容器は存在しない。況して、キャップが内と外等に存在し、そのタイプがヒンジ又はヒンジ様のキャップを有した樹脂容器においてはキャップと容器が一体成型されている樹脂容器は全く存在しない。
【特許文献１】特開２００１−２７８２９３号公報
【特許文献２】特開平９−２４９２４４号公報
【特許文献３】特開平１１−２９１６４号公報
【発明の開示】
【発明が解決しようとする課題】
【０００５】
本発明の課題は、キャップ及び容器本体とが一体で成型可能な安価な樹脂容器の提供である。
【課題を解決するための手段】
【０００６】
本発明者は、上記問題点を解決する為、鋭意研究した結果、キャップと容器本体を１パーツにて成型させることにより、容器の金型代及び単価を極めて低価格に抑えることを可能にし、本発明の完成に至った。
【０００７】
即ち、本発明は、ヒンジ又はヒンジ様のキャップを１箇所以上有したキャップ部と容器本体による形状での一体成型金型を用いることにより、1パーツ部品で構成される樹脂容器である為、組立て方法が簡易でしかも金型及び容器単価が極めて低価格にて提供できることを可能とした。
【発明の効果】
【０００８】
本発明の容器は、種々の充填物に対応可能な成型が可能であることに加え、生産時の組立て方法が簡易容器であること、及び低価格での提供が可能なことから、菓子等の食品や化粧品等の容器へ広く応用が可能である。
【発明を実施するための最良の形態】
【０００９】
本発明のヒンジ又はヒンジ様のキャップを１箇所以上有したキャップ部と容器本体を一体成型にて成型する金型を用いて成型した樹脂容器は、容器制作費用が安価であることに加え、商品の生産時に、予め、従来の容器のように、事前にパーツを組立てるという準備工程が不要である為、準備工程を必要とせず充填物の充填が可能であり、充填工程が簡略化され、資材の管理も1パーツのみの管理で良い為、資材間違え等のトラブルも少なく、生産に要するコストが極めて低くなることも実現した。
【００１０】
尚、本発明のヒンジ又はヒンジ様のキャップを１箇所以上有したキャップ部と容器本体を一体成型にて成型する金型を用いて成型した樹脂容器の材質は、成型が可能であれば特に制限は無く、ポリオレフィン系、ナイロン、ポリエチレンテレフタレート等の樹脂を用いることが可能である。
【実施例１】
【００１１】
図１は、中身取出し用キャップを有した本発明の容器の組立て前の状態を示した斜視説明図。図２は、中身取出し用キャップを有した本発明の容器の組立て前の状態を示した側面図。図３は、内キャップと外キャップを有した本発明の容器の組立て前の状態を示した斜視説明図。図４は、中身取出し用キャップを有した本発明の容器の組立て後の状態を示した側面図。
【００１２】
本発明の樹脂容器は、図２に示すとおり、容器本体（１）の上部片側にヒンジ部（４ａ）を介して連結されたキャップ（２）を有し、当該キャップの上部にヒンジ部（４ｂ）を介して連結された取出し口用キャップ（３）を有する構造の容器である。
【００１３】
そして、図２、及び図３に示す本発明の樹脂容器は、２箇所のヒンジ部（４ａ及び４ｂ、又は４ｃ及び４ｄ）を介して、容器全体が連結されている為、一体成型を可能にしている。又、図３の容器において、組立てる手順は、内キャップ（７）を容器本体（１）に折込み、その上に外キャップ（６）を被せる工程をとるが、内キャップ（７）の側面（７ａ）に突起部を設け、容器本体（１）の上部内側に内キャップ側面（７ａ）に設けた突起部を収納する収納部を設けることにより、ワンタッチで内キャップを（７）を容器本体（１）に嵌め込め、固定が可能となり、容器の組立てをより簡易にすることが可能である。同様に外キャップ（６）のキャップ把手部（６ａ）に爪状の突起部等を設けて、組立て時に容器本体（１）にしっかりと固定可能且つワンタッチにて開閉可能な状態に成型することにより容器の組立てを簡易にすることも可能である。
【００１４】
そして、図３に示す本発明容器は、１パーツにて成型が可能な為、金型費用が極めて低く、従来容器と比較して約半分のコストでにて成型金型の調達を可能にした。
【００１５】
そして、容器の形状も金型上の問題が無ければ特に制限が無い。また、本発明の樹脂容器は、ヒンジ部又はヒンジ様の連結部にてキャップ等が連結されていれば、キャップ等の数量は特に制限は無い。
【産業上の利用可能性】
【００１６】
本発明の容器は、菓子等の食品や化粧品等の容器への応用が可能であり、特に低価格商品向けの容器として広く応用が可能である。
【図面の簡単な説明】
【００１７】
【図１】中身取出し用キャップを有した本発明の容器の組立て前の状態を示した斜視説明図。
【００１８】
【図２】中身取出し用キャップを有した本発明の容器の組立て前の状態を示した側面図。
【００１９】
【図３】内キャップと外キャップを有した本発明の容器の組立て前の状態を示した斜視説明図。
【図４】中身取出し用キャップを有した本発明の容器の組立て後の状態を示した側面図。
【符号の説明】
【００２０】
１          容器本体
２          キャップ
３          中身取出し用キャップ
４          ヒンジ  
４ａ        ヒンジ
４ｂ        ヒンジ
４ｃ        ヒンジ
４ｄ        ヒンジ
５          中身取出し口
６          外キャップ
６ａ        外キャップ把手部
７          内キャップ
【図１】
2006199316.tif 000003
【図２】
2006199316.tif 000004
【図３】
2006199316.tif 000005
【図４】
2006199316.tif 000006